(57)【要約】      （修正有）【課題】故人の知人に葬儀に関する情報を確実に知らせることができるようにする。【解決手段】サーバ装置７０は、喪主の会員の端末１０から葬儀情報を受け取り、この葬儀情報を葬儀支援事業者のウェブサイトを介して公開する。また、各会員は、自身の知り合いの氏名など通知条件として登録する。サーバ装置７０は、会員が通知条件として登録した検索ワードを含む葬儀情報が登録された場合に、その会員におくやみアラートを送信する。【選択図】図１
2015118592.tif 000002
【特許請求の範囲】
【請求項１】
会員登録を済ませた各会員の端末と、
前記各会員が自身へのおくやみアラートの通知を要する葬儀の検索ワードとして登録した情報を含む会員情報を記憶する会員情報データベースと、各葬儀における喪主となった会員が自身が喪主を務める葬儀の検索ワードとして登録した情報を含む葬儀情報を記憶する葬儀情報データベースとを有するサーバ装置と
を具備するシステムによる葬儀支援方法であって、
前記サーバ装置が、前記会員の端末の要求に応じて、検索ワードの入力欄を配した第１の検索ワード登録画面の画面データを含む第１のメッセージを送信する第１の行程と、
前記会員の端末が、前記第１のメッセージを受信した場合に、第１の検索ワード登録画面を表示し、この第１の検索ワード登録画面の入力欄に入力された情報を含む第２のメッセージを前記サーバ装置に送信する第２の行程と、
前記サーバ装置が、前記第２のメッセージを受信した場合に、前記第２のメッセージ内の情報を当該メッセージの発信元の会員の会員情報として前記会員情報データベースに記憶する第３の行程と、
前記サーバ装置が、前記会員であって葬儀の喪主となった者の端末の要求に応じて、検索ワードの入力欄を配した第２の検索ワード登録画面の画面データを含む第４のメッセージを送信する第４の行程と、
前記葬儀の喪主となった者の端末が、前記第４のメッセージを受信した場合に、第２の検索ワード登録画面を表示し、この第２の検索ワード登録画面の入力欄に入力された情報を含む第５のメッセージを前記サーバ装置に送信する第５の行程と、
前記サーバ装置が、前記第５のメッセージを受信した場合に、前記第５のメッセージ内の情報を当該メッセージの送信元の会員の葬儀情報として前記葬儀情報データベースに記憶する第６の行程と、
前記サーバ装置が、前記葬儀情報データベース内の葬儀情報のなかに前記会員情報データベース内の会員情報と同じ検索ワードを含む葬儀情報がある場合に、当該会員情報と対応する会員の端末に宛てておくやみアラートを送信する第７の行程と
を具備することを特徴とする葬儀支援方法。
【請求項２】
前記葬儀情報データベースは、葬儀の開催時間中にネット会葬サイトを訪問した会員の氏名をネット弔問者情報として記憶するものであり、
前記サーバ装置が、端末の要求に応じて、ネット会葬サイト画面の画面データを含む第７のメッセージを端末に送信し、この第７のメッセージの送信先の会員の会員情報を会員情報データベース内から探索し、探索した会員情報内の氏名を会員の氏名をネット会葬者の氏名とし、このネット会葬者の氏名を前記葬儀情報データベースに記憶する第８の行程
を具備することを特徴とする請求項１に記載の葬儀支援方法。
【請求項３】
前記サーバ装置は、前記会員のうち、自身の没後の形見分けについての遺言事項、財産についての遺言事項、葬儀についての遺言事項、墓についての遺言事項、及び自身のメッセージを配信したい相手の電子メールアドレスを含む生前予約情報を記憶する生前予約情報データベースを有し、
前記サーバ装置が、端末の要求に応じて、形見分けについての遺言事項、財産についての遺言事項、葬儀についての遺言事項、墓についての遺言事項希望、及び自身のメッセージを配信したい相手の電子メールアドレスの各入力欄を配した生前予約登録画面の画面データを含む第９のメッセージを送信する第９の行程と、
前記会員の端末が、前記第９のメッセージを受信した場合に、前記生前予約登録画面を表示し、この画面を介して入力された各情報を含む第１０のメッセージを前記サーバ装置に送信する第１０の行程と、
前記サーバ装置が、前記第１０のメッセージを受信した場合に、前記第１０のメッセージ内の情報のセットを新たな生前予約情報として前記生前予約情報データベースに記憶する第１１の行程と、
前記サーバ装置が、前記生前予約情報データベースの生前予約情報を登録した会員の親族が喪主となった場合に、当該生前予約情報を喪主専用ページのエンディングボックス画面の画面データとして当該会員の端末に表示する第１２の行程と
を具備することを特徴とする請求項２に記載の葬儀支援方法。
【発明の詳細な説明】
【技術分野】
【０００１】
本発明は、葬儀を支援する技術に関する。
【背景技術】
【０００２】
特許文献１には、インターネットサイトを介して葬儀情報を告知する場合における情報の開示先を喪主が望む範囲に限定できるようにした技術の開示がある。この文献１に開示された葬儀関連サービス提供システムでは、故人に関する情報はサービス提供者が提供する専用ウェブサイトを介して公開される。この専用ウェブサイトは、サービス提供者から葬儀業者及びユーザを介してアドレスとパスワードの交付を受けた知人のみが閲覧できるようになっている。このため、このシステムによると、喪主が望まない者にまで故人の情報が開示されてしまう、という事態の発生が防止される。
【先行技術文献】
【特許文献】
【０００３】
【特許文献１】特開２００５−１３４９６４号公報
【発明の概要】
【発明が解決しようとする課題】
【０００４】
しかしながら、特許文献１の技術の場合、専用ウェブサイトを頻繁に確認しない者には葬儀に関する情報を伝え難いという問題があった。
【０００５】
本発明は、このような課題に鑑みてなされたものであり、故人の知人に葬儀に関する情報を確実に知らせることができるようにすることを目的とする。
【課題を解決するための手段】
【０００６】
上記課題を解決するため、本発明は、会員登録を済ませた各会員の端末と、前記各会員が自身へのおくやみアラートの通知を要する葬儀の検索ワードとして登録した情報を含む会員情報を記憶する会員情報データベースと、各葬儀における喪主となった会員が自身が喪主を務める葬儀の検索ワードとして登録した情報を含む葬儀情報を記憶する葬儀情報データベースとを有するサーバ装置とを具備するシステムによる葬儀支援方法であって、前記サーバ装置が、前記会員の端末の要求に応じて、検索ワードの入力欄を配した第１の検索ワード登録画面の画面データを含む第１のメッセージを送信する第１の行程と、前記会員の端末が、前記第１のメッセージを受信した場合に、第１の検索ワード登録画面を表示し、この第１の検索ワード登録画面の入力欄に入力された情報を含む第２のメッセージを前記サーバ装置に送信する第２の行程と、前記サーバ装置が、前記第２のメッセージを受信した場合に、前記第２のメッセージの情報を当該メッセージの発信元の会員の会員情報として前記会員情報データベースに記憶する第３の行程と、前記サーバ装置が、前記会員であって葬儀の喪主となった者の端末の要求に応じて、検索ワードの入力欄を配した第２の検索ワード登録画面の画面データを含む第４のメッセージを送信する第４の行程と、前記葬儀の喪主となった者の端末が、前記第４のメッセージを受信した場合に、第２の検索ワード登録画面を表示し、この第２の検索ワード登録画面の入力欄に入力された情報を含む第５のメッセージを前記サーバ装置に送信する第５の行程と、前記サーバ装置が、前記第５のメッセージを受信した場合に、前記第５のメッセージ内の情報を当該メッセージの送信元の会員の葬儀情報として前記葬儀情報データベースに記憶する第６の行程と、前記サーバ装置が、前記葬儀情報データベース内の葬儀情報のなかに前記会員情報データベース内の会員情報と同じ検索ワードを含む葬儀情報がある場合に、当該会員情報と対応する会員の端末に宛てておくやみアラートを送信する第７の行程とを具備することを特徴とする葬儀支援方法を提供する。
【０００７】
本発明では、会員情報と葬儀情報の検索ワードが一致した場合に、おくやみアラートが送信される。よって、故人の知人に葬儀に関する情報を確実に知らせることができる。
【図面の簡単な説明】
【０００８】
【図１】本実施形態の一実施形態である葬儀支援システム１のシステム構成を示す図である。
【図２】図１のサーバ装置７０のハードウェア構成を示す図である。
【図３】図１のサーバ装置７０の会員情報データベースＤＢ１のデータ構造図である。
【図４】図１のサーバ装置７０の葬儀情報データベースＤＢ２のデータ構造図である。
【図５】図１のサーバ装置７０の葬儀社情報データベースＤＢ３のデータ構造図である。
【図６】図１のサーバ装置７０の生前予約情報データベースＤＢ４のデータ構造図である。
【図７】図１の端末１０が表示するトップ画面を示す図である。
【図８】図１の端末１０が表示する検索結果画面を示す図である。
【図９】図１のサーバ装置７０及び端末１０の処理を示すフローチャートである。
【図１０】図１の端末１０が表示する会員登録第１画面を示す図である。
【図１１】図１の端末１０が表示する会員登録第２画面を示す図である。
【図１２】図１のサーバ装置７０及び端末１０の処理を示すフローチャートである。
【図１３】図１の端末１０が表示する検索ワード設定画面を示す図である。
【図１４】図１のサーバ装置７０及び端末１０の処理を示すフローチャートである。
【図１５】図１の端末１０が表示する加盟店登録第１画面を示す図である。
【図１６】図１の端末１０が表示する加盟店登録第２画面を示す図である。
【図１７】図１のサーバ装置７０及び端末１０の処理を示すフローチャートである。
【図１８】図１の端末１０が表示する生前予約登録画面を示す図である。
【図１９】図１のサーバ装置７０及び端末１０の処理を示すフローチャートである。
【図２０】図１のサーバ装置７０及び端末１０の処理を示すフローチャートである。
【図２１】図１のサーバ装置７０及び端末１０の処理を示すフローチャートである。
【図２２】図１のサーバ装置７０及び端末１０の処理を示すフローチャートである。
【図２３】図１の端末１０が表示する葬儀社情報画面を示す図である。
【図２４】図１の端末１０が表示する申込画面を示す図である。
【図２５】図１の端末１０が表示する決済方法選択画面を示す図である。
【図２６】図１の端末１０が表示する喪家専用画面を示す図である。
【図２７】図１の端末１０が表示する会葬お知らせページ作成画面を示す図である。
【図２８】図１の端末１０が表示する口座設定画面を示す図である。
【図２９】図１の端末１０が表示するポイント返礼設定画面を示す図である。
【図３０】図１の端末１０が表示するネット会葬サイト作成画面を示す図である。
【図３１】図１の端末１０が表示するエンディングボック画面を示す図である。
【図３２】図１の端末１０が表示するメール編集画面を示す図である。
【図３３】図１の端末１０が表示する検索ワード設定画面を示す図である。
【図３４】図１のサーバ装置７０及び端末１０の処理を示すフローチャートである。
【図３５】図１のサーバ装置７０及び端末１０の処理を示すフローチャートである。
【図３６】図１の端末１０が表示する会葬お知らせページ画面を示す図である。
【図３７】図１の端末１０が表示するメール編集画面を示す図である。
【図３８】図１の端末１０が表示する香典申込画面を示す図である
【図３９】図１の端末１０が表示するお供え物申込画面を示す図である。
【図４０】図１の端末１０が表示する申込確定画面を示す図である。
【図４１】図１の端末１０が表示する支払完了画面を示す図である。
【図４２】図１の端末１０が表示するネット弔問画面を示す図である。
【発明を実施するための形態】
【０００９】
以下、図面を参照しつつ本発明の実施形態について説明する。図１は、本発明の一実施形態である葬儀支援システム１のシステム構成を示す図である。本実形態では、葬儀支援事業者Ｚは、「おくやみＪＡＰＡＮ」と称するウェブサイトにおいて会員登録手続を済ませた会員Ｙに以下のサービスを提供する。
（１）葬儀社紹介サービス
これは、葬儀支援事業者Ｚと加盟店契約を結んでいる葬儀社を、会員Ｙであって自身の親族の葬儀を主催することになった者（以下、喪主会員Ｙｍという）に紹介するサービスである。
（２）葬儀情報公開サービス
これは、喪主会員Ｙｍから申告された故人の氏名、葬儀会場の会場名、喪主の氏名、喪主の住所、故人が所属した団体の団体名、故人が通った学校の学校名、葬儀開催日、及び葬儀開催時間などの情報である葬儀情報を葬儀社（葬儀社紹介サービスにおいて葬儀支援事業者Ｙとの間に加盟店契約を結んでいる葬儀社）に提供するとともに、この葬儀情報をおくやみＪＡＰＡＮのウェブサイトを介して公開するサービスである。
（３）おくやみアラート通知サービス
これは、各会員Ｙとゆかりのある者やその親族の葬儀があることを各々の電子メールアドレスに宛てたおくやみアラートとして配信するサービスである。
（４）香典・供物寄贈サービス
これは、葬儀への参列を予定する会員Ｙの依頼により香典・お供え物の寄贈を代行するサービスである。
（５）ネット会葬サービス
これは、葬儀に参列できない者のためのネット会葬サイトを公開し、ネット会葬サイトを訪問した者（以下、ネット弔問者Ｙｃという）の氏名等の情報を喪主に知らせるサービスである。
（６）生前予約サービス
これは、会員ＹであっておくやみＪＡＰＡＮのウェブサイトにおいて生前予約手続を済ませた者（以下、生前予約会員Ｙｒという）が亡くなった場合に、その生前予約会員Ｙｒが生前に残した遺言事項を親族である喪主会員Ｙｍに知らせるサービスである。
【００１０】
図１において、葬儀支援システム１は、端末１０とサーバ装置７０とを有する。端末１０は、おくやみＪＡＰＡＮの会員Ｙやその会員登録を望む者（以下、登録希望者Ｕという）が利用するものである。端末１０は、パーソナルコンピュータであってもよいし、スマートフォンであってもよい。サーバ装置７０は、支援事業者Ｚによる管理の下に稼働するものである。
【００１１】
図２に示すように、サーバ装置７０は、通信インターフェース７１、ＣＰＵ７２、ＲＡＭ７３、ＲＯＭ７４、ハードディスク７５、ディスプレイ７６、マウス７７、キーボード７８を有する。通信インターフェース７１は、インターネット９０に接続された装置との間でデータを送受信する。ＣＰＵ７２は、ＲＡＭ７３をワークエリアとして利用しつつ、ＲＯＭ７４やハードディスク７５に記憶された各種プログラムを実行する。ＲＯＭ７４には、ＩＰＬ（Initial Program Loader）などが記憶されている。ハードディスク７５には、会員情報データベースＤＢ１、葬儀情報データベースＤＢ２、葬儀社情報データベースＤＢ３、及び生前予約情報データベースＤＢ４が記憶されている。
【００１２】
図３は、会員情報データベースＤＢ１のデータ構造を概念的に示す図である。会員情報データベースＤＢ１は、会員Ｙのプロフィールに関わる情報を会員情報として記憶するためのものである。会員情報データベースＤＢ１の各レコードは、「ＩＤ」、「パスワード」、「性」、「名」、「ふりがな（性）」、「ふりがな（名）」、「郵便番号」、「住所１」、「住所２」、「電話番号」、「電子メール」、「生年月日」、「通知条件」、「返礼ポイント」、「生前予約」の各フィールドを有する。各フィールドの内容は次の通りである。
ａ１．ＩＤ
このフィールドは、会員Ｙに固有のＩＤを示す。
ｂ１．パスワード
このフィールドは、会員ＹがおくやみＪＡＰＡＮの会員登録画面（図１１）において登録したパスワードを示す。
ｃ１．性
このフィールドは、会員ＹがおくやみＪＡＰＡＮの会員登録画面（図１１）において登録した性を示す。
ｄ１．名
このフィールドは、会員ＹがおくやみＪＡＰＡＮの会員登録画面（図１１）において登録した名を示す。
ｅ１．ふりがな（性）
このフィールドは、会員ＹがおくやみＪＡＰＡＮの会員登録画面（図１１）において登録した性のふりがなを示す。
ｆ１．ふりがな（名）
このフィールドは、会員ＹがおくやみＪＡＰＡＮの会員登録画面（図１１）において登録した名のふりがなを示す。
ｇ１．郵便番号
このフィールドは、会員ＹがおくやみＪＡＰＡＮの会員登録画面（図１１）において登録した郵便番号を示す。
ｈ１．住所１
このフィールドは、会員ＹがおくやみＪＡＰＡＮの会員登録画面（図１１）において登録した第１の住所を示す。
ｉ１．住所２
このフィールドは、会員ＹがおくやみＪＡＰＡＮの会員登録画面（図１１）において登録した第２の住所を示す。
ｊ１．電話番号
このフィールドは、会員ＹがおくやみＪＡＰＡＮの会員登録画面（図１１）において登録した電話番号を示す。
ｋ１．電子メール
このフィールドは、会員ＹがおくやみＪＡＰＡＮの会員登録画面（図１０）において登録した電子メールアドレスを示す。
ｌ１．生年月日
このフィールドは、会員ＹがおくやみＪＡＰＡＮの会員登録画面（図１１）において登録した生年月日を示す。
ｍ１．通知条件
このフィールドは、会員ＹがおくやみＪＡＰＡＮの検索ワード設定画面において登録した通知条件（例えば、知人の氏名や自身が所属する団体の団体名称など）を示す。
ｎ１．返礼ポイント
このフィールドは、会員Ｙが香典返しに替わるものとして喪主から受け取る返礼ポイント（商品券や現金等との兌換が可能なポイント）の総計値を示す。
ｏ１．生前予約
このフィールドは、会員Ｙが生前予約の有無に関する情報（具体的には、「生前予約あり」及び「生前予約なし」のうち一方の情報）を示す。
【００１３】
図４は、葬儀情報データベースＤＢ２のデータ構造を概念的に示す図である。葬儀情報データベースＤＢ２は、喪主会員Ｙｍが主催する葬儀に関わる情報を葬儀情報として記憶するためのものである。葬儀情報データベースＤＢ２の各レコードは、「ＩＤ」、「故人名」、「住所」、「享年」、「所属団体」、「喪主名」、「会場」、「開催日」、「開催時間」、「喪主挨拶」、「画像１」、「画像２」、「受取口座」、「返礼設定」、「検索ワード」、「香典寄贈者」、「供物寄贈者」、「ネット弔問者」、「確認コード」の各フィールドを有する。各フィールドの内容は次の通りである。
ａ２．ＩＤ
このフィールドは、葬儀における喪主会員ＹｍのＩＤを示す。
ｂ２．故人名
このフィールドは、喪主会員ＹｍがおくやみＪＡＰＡＮの会葬お知らせページ作成画面（図２７）において登録した故人の氏名を示す。
ｃ２．住所
このフィールドは、喪主会員ＹｍがおくやみＪＡＰＡＮの会葬お知らせページ作成画面（図２７）において登録した故人の住所を示す。
ｄ２．享年
このフィールドは、喪主会員ＹｍがおくやみＪＡＰＡＮの会葬お知らせページ作成画面（図２７）において登録した故人の享年を示す。
ｅ２．所属団体
このフィールドは、喪主会員ＹｍがおくやみＪＡＰＡＮの会葬お知らせページ作成画面（図２７）において登録した故人の生前の所属団体（会社や同好会など）を示す。
ｆ２．喪主名
このフィールドは、喪主会員ＹｍがおくやみＪＡＰＡＮの会葬お知らせページ作成画面（図２７）において登録した喪主の氏名を示す。
ｇ２．会場
このフィールドは、喪主会員ＹｍがおくやみＪＡＰＡＮの会葬お知らせページ作成画面（図２７）において登録した葬儀会場の会場名を示す。
ｈ２．開催日
このフィールドは、喪主会員ＹｍがおくやみＪＡＰＡＮの会葬お知らせページ作成画面（図２７）において登録した葬儀の開催日を示す。
ｉ２．開催時間
このフィールドは、  喪主会員ＹｍがおくやみＪＡＰＡＮの会葬お知らせページ作成画面（図２７）において登録した葬儀の開催時間（開始予定時刻と終了予定時刻）を示す。
ｊ２．喪主挨拶
このフィールドは、喪主会員ＹｍがおくやみＪＡＰＡＮの会葬お知らせページ作成画面（図２７）において登録した挨拶文を示す。
ｋ２．画像１
このフィールドは、喪主会員ＹｍがおくやみＪＡＰＡＮの会葬お知らせページ作成画面（図２７）において故人の遺影画像として選択した画像の画像データを示す。
ｌ２．画像２
このフィールドは、喪主会員ＹｍがおくやみＪＡＰＡＮのネット会葬サイト作成画面（図３０）において故人のスライド動画の各フレームとして選択した画像の画像データを示す。
ｍ２．受取口座
このフィールドは、喪主会員ＹｍがおくやみＪＡＰＡＮの香典設定画面（図２８）において設定した香典受取口座の情報（金融機関名、支店名、口座種類、口座名、口座番号）を示す。
ｎ２．返礼設定
このフィールドは、喪主会員ＹｍがおくやみＪＡＰＡＮのポイント返礼設定画面（図２９）において設定した設定情報を示す。
ｏ２．検索ワード
このフィールドは、喪主会員ＹｍがおくやみＪＡＰＡＮの検索ワード設定画面（図３３）において設定した検索ワードを示す。
ｐ２．香典寄贈者
このフィールドは、おくやみＪＡＰＡＮの香典申込画面（図３８）において香典の寄贈を申し込んだ各会員Ｙの氏名を示す。
ｑ２．供物寄贈者
このフィールドは、おくやみＪＡＰＡＮのお供え物申込画面（図３９）においてお供え物の寄贈を申し込んだ各会員Ｙの氏名を示す。
ｒ２．ネット弔問者
このフィールドは、おくやみＪＡＰＡＮのネット会葬サイトの訪問により弔意を示した各会員Ｙの氏名を示す。
ｓ２．確認コード
このフィールドは、葬儀会場におけるおくやみＪＡＰＡＮの会員Ｙ（おくやみＪＡＰＡＮの香典申込画面及びお供え物申込画面における入力手続きを済ませた会員Ｙ）に固有の確認コード（所定桁数の英数文字列）を示す。ここで、本実施形態では、サーバ装置７０は、おくやみＪＡＰＡＮの香典申込画面及びお供え物申込画面における手続きを済ませた会員Ｙに固有の確認コードを生成し、この確認コードを変換した２次元バーコードを含む電子メールを当該会員Ｙの端末１０に送信する。会員Ｙは、葬儀に参列する際に、通常の参列者と異なる会員専用の受付において受付手続きを行う。この受付手続では、会員Ｙの端末１０に確認コードの２次元バーコードを表示させ、この２次元バーコードを会員専用受付の受付端末装置に読み込ませる、という簡単な操作により受付が完了する。このため、本実施形態では、会員Ｙは、香典やお供え物を葬儀会場に持参して受付の担当者に渡したり、記帳に自身の氏名や連絡先を手書きする、といった作業を行わずに、葬儀に参列することができる。この確認コードの送信に関わる処理の詳細は、後述する。
【００１４】
図５は、葬儀社情報データベースＤＢ３のデータ構造を概念的に示す図である。葬儀社情報データベースＤＢ３は、葬儀支援事業者Ｚとの間で加盟店契約を結んでいる葬儀社に関わる情報を葬儀社情報として記憶するためのものである。葬儀社情報データベースＤＢ３の各レコードは、「ＩＤ」、「葬儀社名」、「郵便番号」、「住所」、「所持会場」、「電話番号」、「営業時間」、「代表者」、「担当者」、「電子メール」、「サイト」、「登録番号」、「許可番号」、「口座番号」の各フィールドを有する。各サイトの内容は次の通りである。
ａ３．ＩＤ
このフィールドは、葬儀社の担当者である会員Ｙ（以下、葬儀社会員Ｙｓという）のＩＤを示す。
ａ３．葬儀社名
このフィールドは、葬儀社会員ＹｓがおくやみＪＡＰＡＮの加盟店登録画面（図１６）において登録した葬儀社の名称を示す。
ｂ３．郵便番号
このフィールドは、葬儀社会員ＹｓがおくやみＪＡＰＡＮの加盟店登録画面（図１６）において登録した郵便番号を示す。
ｃ３．住所
このフィールドは、葬儀社会員ＹｓがおくやみＪＡＰＡＮの加盟店登録画面（図１６）において登録した住所を示す。
ｄ３．所持会場
このフィールドは、葬儀社会員ＹｓがおくやみＪＡＰＡＮの加盟店登録画面（図１６）において登録した所持会場（自社が所有する葬祭場）を示す。
ｅ３．電話番号
このフィールドは、葬儀社会員ＹｓがおくやみＪＡＰＡＮの加盟店登録画面（図１６）において登録した電話番号を示す。
ｆ３．営業時間
このフィールドは、葬儀社会員ＹｓがおくやみＪＡＰＡＮの加盟店登録画面（図１６）において登録した営業時間を示す。
ｇ３．代表者
このフィールドは、葬儀社会員ＹｓがおくやみＪＡＰＡＮの加盟店登録画面（図１６）において登録した代表者の氏名を示す。
ｈ３．担当者
このフィールドは、葬儀社会員ＹｓがおくやみＪＡＰＡＮの加盟店登録画面（図１６）において登録した担当者の氏名を示す。
ｉ３．電子メール
このフィールドは、葬儀社会員ＹｓがおくやみＪＡＰＡＮの加盟店登録画面（図１６）において登録した電子メールアドレスを示す。
ｊ３．サイト
このフィールドは、葬儀社会員ＹｓがおくやみＪＡＰＡＮの加盟店登録画面（図１６）において登録した自社サイトのＵＲＬ（Uniform Resource Locator）を示す。
ｋ３．登録番号
このフィールドは、葬儀社会員ＹｓがおくやみＪＡＰＡＮの加盟店登録画面（図１６）において登録した所属団体の登録番号（具体的には、葬儀社会員Ｙｓが、全葬連、全互連、または全国心の会葬事業協共同組合に所属している場合における該当の所属団体の登録番号）を示す。
ｌ３．許可番号
このフィールドは、葬儀社会員ＹｓがおくやみＪＡＰＡＮの加盟店登録画面（図１６）において登録した一般貨物自動車運送事業（霊きゅう限定）の許可番号を示す。
ｍ３．口座番号
このフィールドは、葬儀社会員ＹｓがおくやみＪＡＰＡＮの加盟店登録画面（図１６）において登録した金融機関の口座番号を示す。
【００１５】
図６は、生前予約情報データベースＤＢ４のデータ構造を概念的に示す図である。生前予約情報データエースは、生前予約会員Ｙｒの生前予約に関わる情報を生前予約情報として記憶するためのものである。生前予約情報データベースＤＢ４の各レコードは、「ＩＤ」、「パスワード」、「形見分け」、「財産」、「葬儀」、「墓」、「メッセージ」、「送信先」の各フィールドを有する。各フィールドの内容は次の通りである。
ａ４．ＩＤ
このフィールドは、生前予約会員ＹｒのＩＤを示す。
ｂ４．パスワード
このフィールドは、生前予約会員Ｙｒのパスワードを示す。
ｃ４．形見分け
このフィールドは、生前予約会員ＹｒがおくやみＪＡＰＡＮの生前予約登録画面（図１８）において登録した形見分けに関わる遺言事項を示す。
ｄ４．財産
このフィールドは、生前予約会員ＹｒがおくやみＪＡＰＡＮの生前予約登録画面（図１８）において登録した財産に関わる遺言事項を示す。
ｅ４．葬儀
このフィールドは、生前予約会員ＹｒがおくやみＪＡＰＡＮの生前予約登録画面（図１８）において登録した葬儀に関わる遺言事項を示す。
ｆ４．墓
このフィールドは、生前予約会員ＹｒがおくやみＪＡＰＡＮの生前予約登録画面（図１８）において登録した墓に関わる遺言事項を示す。
ｇ４．メッセージ
このフィールドは、生前予約会員ＹｒがおくやみＪＡＰＡＮの生前予約登録画面（図１８）において登録した親族宛てや知人宛てのメッセージを示す。
ｈ４．送信先
このフィールドは、生前予約会員ＹｒがおくやみＪＡＰＡＮの生前予約登録画面（図１８）においてｇ４．の知人宛てメッセージの配信先として登録した電子メールアドレスを示す。
【００１６】
次に、本実施形態の動作を説明する。本実施形態では、上記（１）〜（６）の各サービスの利用を希望する者は、自身の端末１０のブラウザを起動し、おくやみＪＡＰＡＮのトップ画面の閲覧を指示する操作を行う。この操作が行われると、端末１０は、おくやみＪＡＰＡＮのトップ画面のＵＲＬを宛先とするＨＴＴＰ（Hyper Text Transfer Protocol）メッセージを送信する。サーバ装置７０は、このメッセージを受信すると、葬儀情報データベースＤＢ２の各レコード内の葬儀情報を読み出し、この葬儀情報を新着情報リストａ１１として埋め込んだトップ画面の画面データ（ＨＴＭＬ（Hyper Text Markup Language）データ）を生成し、この画面データを含むメッセージを端末１０に返信する。端末１０は、このメッセージを受信すると、トップ画面を表示する。
【００１７】
図７は、トップ画面を示す図である。図７に示すように、トップ画面の最上段右側には、「おくやみＪＡＰＡＮ」の文字が記されている。最上段左側には、真円状のボタンａ０１がある。ボタンａ０１内には「新規登録」の文字が記されている。ボタンａ０１の下には、入力欄ａ０２がある。入力欄ａ０２内の左隅には「ＩＤ」の文字が記されている。入力欄ａ０２の下には、入力欄ａ０３がある。入力欄ａ０３内の左隅には「ＰＷ」の文字が記されている。入力欄ａ０３の下には、ボタンａ０４がある。ボタンａ０４内には、「ログイン」の文字が記されている。ボタンａ０４の下には、ボタンａ０５がある。ボタンａ０５内には、「加盟店検索（喪家様入口）」の文字が記されている。ボタンａ０５の下には、ボタンａ０６がある。ボタンａ０６内には、「加盟店募集（葬儀社入口）」の文字が記されている。ボタンａ０６の下には、ボタンａ０７がある。ボタンａ０７内には、「おくやみアラート登録はこちらから」の文字が記されている。ボタンａ０７の下には、ボタンａ０８がある。ボタンａ０８内には、「生前予約」の文字が記されている。画面右側には、支援事業者Ｚとの間で加盟店契約の締結を済ませている葬儀社のバナー広告ａ４１がある。
【００１８】
トップ画面の中央における「おくやみＪＡＰＡＮ」の文字の下には、新着情報リストａ１１がある。新着情報リストａ１１は、葬儀情報データベースＤＢ２内の葬儀情報の概要（故人名、喪主名、葬儀会場、葬儀開催日、葬儀開催時間）を登録時の新しいものから順に並べたものである。新着情報リストａ１１の右隅にはリストａ１１内の葬儀情報を上下にスクロールさせるスクロールバーａ１２がある。
【００１９】
新着情報リストａ１１の下には、「検索はこちらから」の文字が記されている。その下には、ボタンａ２１と検索ボックスａ２２がある。ボタン２１ａ内には「検索」の文字が記されている。その下には、地域選択欄ａ３１がある。地域選択欄ａ３１内には、日本地図が記されている。
【００２０】
このトップ画面の閲覧者であって会員登録を希望する者（以下、入会希望者Ｕ）は、ボタンａ０１の選択に続いて表示される画面（図１１）において会員登録手続を行う。この会員登録手続以降、会員Ｙは、ログイン認証操作（入力欄ａ０２及びａ０３に自身のＩＤ及びパスワードを入力して「ログイン」のボタンａ０４を選択する操作）による認証手続を経て上記（１）〜（５）のサービスの提供を受けることができるようになる。
【００２１】
また、会員Ｙは、トップ画面の新着情報リストａ１１内に自身とゆかりのある会員Ｙの葬儀情報を見つけた場合は、リストａ１１内の該当の葬儀情報を選択して会葬お知らせページ画面（図３６）に進み、この画面から香典申込画面（図３８）や供物申込画面（図３９）に進んで香典やお供え物の寄贈の申込手続を行う。ここで、会員Ｙが、検索ボックスａ２２内に知人の名称や学校名などを入力して「検索」のボタンａ２１を選択する操作を行ったり、地域選択欄ａ３１内の所望の都道府県を選択する操作を行うと、検索ボックスａ２２内の検索語や地域選択欄ａ３１から選択された都道府県を検索キーとする検索が行われ、その検索結果を検索結果リストａ１１’として含む検索結果画面（図８参照）が表示される。会員Ｙは、この検索結果画面の検索結果リストａ１１’内の葬儀情報を選択することによっても会葬お知らせページ画面に進むことが可能である。
【００２２】
また、会員Ｙは、葬儀社紹介サービス及び葬儀情報公開サービスの提供を望む場合は、「加盟店検索（喪家様入口）」のボタンａ０５を選択して申込画面（図２４）に進み、この画面において葬儀社紹介サービス及び葬儀情報公開サービスの利用に必要な手続を行う。
【００２３】
また、会員Ｙは、おくやみアラート通知サービスの提供を望む場合は、「おくやみアラート登録はこちらから」のボタンａ０７を選択して検索ワード設定画面（図３３）に進み、この画面においておくやみアラート通知サービスの申込手続を行う。
【００２４】
また、葬儀社の担当者の会員Ｙ（以下、葬儀社会員Ｙｓ）は、葬儀支援事業者Ｚとの間で加盟店契約を締結したい場合は、「加盟店募集（葬儀社入口）」のボタンａ０６を選択して加盟店登録画面（図１６）に進み、この画面において加盟店登録の申込手続を行う。
【００２５】
図９は、メイン画面の「新規登録」のボタンａ０１が選択された場合の処理を示すフローチャートである。「新規登録」のボタンａ０１を選択する操作が行われると（Ｓ１１０１：Ｙｅｓ）、端末１０は、新規登録を求めるメッセージＭＳ１１０２をサーバ装置７０に送信する（Ｓ１１０２）。サーバ装置７０は、メッセージＭＳ１１０２を受信すると、会員登録第１画面の画面データを含むメッセージＭＳ１１０３を端末１０に送信する（Ｓ１１０３）。
【００２６】
端末１０は、メッセージＭＳ１１０３を受信すると、会員登録第１画面を表示する（Ｓ１１０４）。図１０は、会員登録第１画面を示す図である。この画面の上段中央には、「メールアドレスを入力して下さい」の文字が記されている。この文字の下には、メールアドレス入力欄ｃ０１がある。その下には、ボタンｃ０２がある。ボタンｃ０２内には、「送信」の文字が記されている。その下には、表示欄ｃ０３がある。表示欄ｃ０３内には、おくやみＪＡＰＡＮの会員登録にあたっての注意事項が記されている。
【００２７】
入会希望者Ｕは、会員登録第１画面のメールアドレス入力欄ｃ０１に自身の端末１０の電子メールアドレスを入力し、「送信」のボタンｃ０２を選択する操作を行う。この操作が行われると（Ｓ１１０５：Ｙｅｓ）、端末１０は、メールアドレス入力欄ｃ０１に入力された電子メールアドレスを含むメッセージＭＳ１１０６をサーバ装置７０に送信する（Ｓ１１０６）。
【００２８】
サーバ装置７０は、メッセージＭＳ１１０６を受信すると、メッセージＭＳ１１０６内の電子メールアドレスを取り出し、この電子メールアドレスに宛てて会員登録第２画面のＵＲＬを含む電子メールを送信する（Ｓ１１０７）。
【００２９】
端末１０は、電子メールを受信すると、受信した電子メールを自端末１０のメモリに記憶する（Ｓ１１０８）。電子メールの受信後、入会希望者Ｕは、メーラを起動して電子メールを表示し、電子メール内のＵＲＬを選択する操作を行う。端末１０は、電子メール内のＵＲＬを選択する操作が行われると（Ｓ１１０９：Ｙｅｓ）、選択されたＵＲＬを閲覧先とするメッセージをサーバ装置７０に送信する（Ｓ１１１０）。
【００３０】
サーバ装置７０は、メッセージを受信すると、会員登録第２画面の画面データを含むメッセージＭＳ１１１１を端末１０に送信する（Ｓ１１１１）。端末１０は、メッセージＭＳ１１１１を受信すると、会員登録第２画面を表示する（Ｓ１１１２）。図１１は、会員登録第２画面を示す図である。この画面の最上段には、２つの入力欄ｄ０１及びｄ０２が左右に並べて配置されている。その下には、２つの入力欄ｄ０３及びｄ０４が左右に並べて配置されている。その下には、入力欄ｄ０５がある。入力欄ｄ０５の右には、ボタンｄ０６がある。ボタンｄ０６内には、「検索」の文字が記されている。入力欄ｄ０５の下には入力欄ｄ０７がある。入力欄ｄ０７の下には入力欄ｄ０８がある。入力欄ｄ０８の下には入力欄ｄ０９がある。入力欄ｄ０９の下には入力欄ｄ１０がある。入力欄ｄ１０の下には入力欄ｄ１１がある。入力欄ｄ１１の下には入力欄ｄ１２がある。画面の右下には、ボタンｄ３１がある。ボタンｄ３１内には「決定」の文字が記されている。
【００３１】
会員登録第２画面において、入会希望者Ｕは、各入力欄に自身の情報を入力した上で「決定」のボタンｄ３１を選択する操作を行う。より具体的に説明すると、入会希望者Ｕは、入力欄ｄ０１に自身の性を入力する。また、入力欄ｄ０２に自身の名を入力する。また、入力欄ｄ０３に自身の性のふりがなを入力する。また、入力欄ｄ０４に自身の名のふりがなを入力する。また、入力欄ｄ０５に自身の住所の郵便番号を入力する。この郵便番号の入力は、「検索」のボタンｄ０６の選択に続いて表示される郵便番号検索画面（不図示）を介して行ってもよい。入会希望者Ｕは、入力欄ｄ０７に自身の住所を入力する。また、連絡先の住所が居住地の住所と異なる場合は、入力欄ｄ０８に連絡先の住所を入力する。また、入力欄ｄ０９に自身の電話番号を入力する。また、入力欄ｄ１０に自身の電子メールアドレスを入力する。また、入力欄ｄ１１に自身の生年月日を入力する。また、入力欄ｄ１２にパスワードとする所望の文字列を入力する。
【００３２】
端末１０は、「決定」のボタンｄ３１を選択する操作が行われると（Ｓ１１１３：Ｙｅｓ）、入力欄ｄ０１、ｄ０２、ｄ０３、ｄ０４、ｄ０５、ｄ０６、ｄ０７、ｄ０８、ｄ０９、ｄ１０、ｄ１１、ｄ１２内の情報を含むメッセージＭＳ１１１４をサーバ装置７０に送信する（Ｓ１１１４）。
【００３３】
サーバ装置７０は、メッセージＭＳ１１１４を受信すると、新たなＩＤを生成し、このＩＤを含むレコードを会員情報データベースＤＢ１に追加する処理を行う（Ｓ１１１５）。この処理では、サーバ装置７０は、「ＩＤ」のフィードを新たに生成したＩＤとし、「パスワード」のフィールドを入力欄ｄ１２内の情報とし、「性」のフィールドを入力欄ｄ０１内の情報とし、「名」のフィールドを入力欄ｄ０２内の情報とし、「ふりがな（性）」のフィールドを入力欄ｄ０３内の情報とし、「ふりがな（名）」のフィールドを入力欄ｄ０４内の情報とし、「郵便番号」のフィールドを入力欄ｄ０５内の情報とし、「住所１」のフィールドを入力欄ｄ０７内の情報とし、「住所２」のフィールドを入力欄ｄ０８内の情報とし、「電話番号」のフィールドを入力欄ｄ０９内の情報とし、「電子メール」のフィールドを入力欄ｄ１０内の情報とし、「生年月日」のフィールドを入力欄ｄ１１内の情報とし、「通知条件」のフィールドを空値とし、「返礼ポイント」の各フィールドを「０ポイント」とし、「生前予約」のフィールドを「生前予約なし」とするレコードを生成し、このレコードを会員情報データベースＤＢ１に追加する。
【００３４】
サーバ装置７０は、会員情報データベースＤＢ１の新規レコードにおける「電子メール」のフィールドの電子メールアドレスを読み出し、この電子メールアドレスに宛てて新規会員ＹのＩＤと新規会員向けの利用案内とを含む電子メールを送信する（Ｓ１１１６）。端末１０は、電子メールを受信すると、受信した電子メールを自端末１０のメモリに記憶する（Ｓ１１１７）。
【００３５】
図１２は、メイン画面における「おくやみアラート登録はこちらから」のボタンａ０７が選択された場合の処理を示すフローチャートである。端末１０は、ボタンａ０７を選択する操作が行われると（Ｓ１２０１：Ｙｅｓ）、当該端末１０の所有者の会員ＹのＩＤを含むメッセージＭＳ１２０２（検索ワード設定画面を求めるメッセージ）をサーバ装置７０に送信する（Ｓ１２０２）。サーバ装置７０は、メッセージＭＳ１２０２を受信すると、検索ワード設定画面の画面データを含むメッセージＭＳ１２０３をサーバ装置７０に送信する（Ｓ１２０３）。
【００３６】
サーバ装置７０は、メッセージＭＳ１２０３を受信すると、検索ワード設定画面を表示する（Ｓ１２０４）。図１３は、検索ワード設定画面を示す図である。この画面の最上段には、「お知り合いの方の会葬情報が登録されましたらメールでお知らせします。検索ワードを設定してください。」の文字が記されている。その下には、複数個（図１３の例では７個）の検索ワード入力欄ｅ０１がある。画面の右下には、ボタンｅ３１がある。ボタンｅ３１内には「送信」の文字が記されている。この画面において、会員Ｙは、自身の知り合いの会員Ｙの氏名、住所、会社名などを検索ワード入力欄ｅ０１に入力し、「送信」のボタンｅ３１を選択する。
【００３７】
端末１０は、「送信」のボタンｅ３１を選択する操作が行われると（Ｓ１２０５：Ｙｅｓ）、当該端末１０の所有者の会員ＹのＩＤ及び検索ワード入力欄ｅ０１内の情報を含むメッセージＭＳ１２０６をサーバ装置７０に送信する（Ｓ１２０６）。
【００３８】
サーバ装置７０は、メッセージＭＳ１２０６を受信すると、探索処理を行う（Ｓ１２０７）。この処理では、サーバ装置７０は、メッセージＭＳ１２０７内のＩＤを検索キーとし、会員情報データベースＤＢ１の各レコードの中から検索キーであるＩＤを「ＩＤ」のフィールドの値とするものを探索する。サーバ装置７０は、探索処理において探索したレコードの「通知条件」のフィールドにメッセージＭＳ１２０６内の情報（入力欄ｅ０１に入力された検索語）を記憶する（Ｓ１２０８）。
【００３９】
図１４は、メイン画面における加盟店募集（葬儀社入口）のボタンａ０６を選択する操作が行われた場合の処理を示すフローチャートである。端末１０は、ボタンａ０６を選択する操作が行われると（Ｓ１３０１：Ｙｅｓ）、当該端末１０の所有者の葬儀社会員ＹｓのＩＤを含むメッセージＭＳ１３０２（加盟店登録第１画面を求めるメッセージ）をサーバ装置７０に送信する（Ｓ１３０２）。サーバ装置７０は、メッセージＭＳ１３０２を受信すると、加盟店登録第１画面の画面データを含むメッセージＭＳ１３０３を端末１０に送信する（Ｓ１３０３）。
【００４０】
端末１０は、メッセージＭＳ１３０３を受信すると、加盟店登録第１画面を表示する（Ｓ１３０４）。図１５は、加盟店登録第１画面を示す図である。この画面の最上段の中央には、「加盟店登録」の文字が記されている。その下には、表示欄ｆ０１がある。表示欄ｆ０１内には加盟店登録にあたっての注意事項が記されている。画面の右下には、ボタンｆ３１がある。ボタンｆ３１内には、「同意する」の文字が記されている。葬儀社会員Ｙｓは、表示欄ｆ０１内の注意事項を確認し、ボタンｆ３１を選択する。
【００４１】
端末１０は、「同意する」のボタンｆ３１を選択する操作が行われると（Ｓ１３０５：Ｙｅｓ）、葬儀社会員ＹｓのＩＤを含むメッセージＭＳ１３０６（加盟店登録第２画面を求めるメッセージ）をサーバ装置７０に送信する（Ｓ１３０６）。サーバ装置７０は、メッセージＭＳ１３０６を受信すると、加盟店登録第２画面の画面データを含むメッセージＭＳ１３０７を端末１０に送信する（Ｓ１３０７）。
【００４２】
端末１０は、メッセージＭＳ１３０７を受信すると、加盟店登録第２画面を表示する（Ｓ１３０８）。図１６は、加盟店登録第２画面を示す図である。この画面の最上段には、「加盟店登録」の文字が記されている。その下には、入力欄ｇ０１がある。入力欄ｇ０１の下には、入力欄ｇ０２がある。入力欄ｇ０２の右には、ボタンｇ０３がある。ボタンｇ０３内には、「検索」の文字が記されている。入力欄ｇ０２の下には、入力欄ｇ０４がある。入力欄ｇ０４の下には、入力欄ｇ０５がある。入力欄ｇ０５の下には、入力欄ｇ０６がある。入力欄ｇ０６の下には、入力欄ｇ０７がある。入力欄ｇ０７の下には、入力欄ｇ０８がある。入力欄ｇ０８の下には、入力欄ｇ０９がある。入力欄ｇ０９の下には、入力欄ｇ１０がある。画面の右下には、ボタンｇ３１がある。ボタンｇ３１内には「送信」の文字が記されている。
【００４３】
この画面において、葬儀社会員Ｙｓは、各入力欄に自社の情報を入力した上で「送信」のボタンｇ３１を選択する操作を行う。より具体的に説明すると、葬儀社会員Ｙｓは、入力欄ｇ０１に自社の法人名（または屋号）を入力する。また、入力欄ｇ０２に自社の郵便番号を入力する。この郵便番号の入力は、「検索」のボタンｇ０３の選択に続いて表示される郵便番号検索画面（不図示）を介して行ってもよい。また、葬儀社会員Ｙｓは、入力欄ｇ０４に自社の住所を入力する。また、入力欄ｇ０５に自社の代表者の氏名を入力する。また、入力欄ｇ０６に自身の氏名（担当者の氏名）を入力する。また、入力欄ｇ０７に自社の電子メールアドレスを入力する。また、入力欄ｇ０８に自社サイトのＵＲＬを入力する。また、入力欄ｇ０９に自社の所属団体の登録番号を入力する。また、入力欄ｇ１０に自社の一般貨物自動車運送事業（霊きゅう限定）の許可番号を入力する。
【００４４】
端末１０は、「送信」のボタンｇ３１を選択する操作が行われると（Ｓ１３０９：Ｙｅｓ）、当該端末１０の所有者の葬儀社会員ＹｓのＩＤ及び入力欄ｇ０１、ｇ０２、ｇ０４、ｇ０５、ｇ０６、ｇ０７、ｇ０８内の情報を含むメッセージＭＳ１３１０をサーバ装置７０に送信する（Ｓ１３１０）。
【００４５】
サーバ装置７０は、メッセージＭＳ１３１０を受信すると、葬儀社情報データベースＤＢ３に新しいレコードを追加する処理を行う（Ｓ１３２０）。この処理では、サーバ装置７０は、「ＩＤ」のフィールドをメッセージＭＳ１３１０の送信元の葬儀社会員ＹｓのＩＤとし、「葬儀社名」のフィールドを入力欄ｇ０１内の情報とし、「郵便番号」のフィールドを入力欄ｇ０２内の情報とし、「住所」のフィールドを入力欄ｇ０４内の情報とし、「代表者」のフィールドを入力欄ｇ０５内の情報とし、「担当者」のフィールドを入力欄ｇ０６内の情報とし、「電子メール」のフィールドを入力欄ｇ０７内の情報とし、「サイト」のフィールドを入力欄ｇ０８内の情報とするレコードを生成し、このレコードを葬儀社情報データベースＤＢ３に追加する。
【００４６】
サーバ装置７０は、葬儀社情報データベースＤＢ３の新規レコードにおける「電子メール」のフィールドの電子メールアドレスを読み出し、この電子メールアドレスに宛てて葬儀社会員ＹｓのＩＤと加盟店向けの利用案内を記した電子メールを送信する（Ｓ１３２１）。端末１０は、電子メールを受信すると、受信した電子メールを自端末１０のメモリに記憶する（Ｓ１３２２）。
【００４７】
図１７は、メイン画面における「生前予約」のボタンｇ０８を選択する操作が行われた場合の処理を示すフローチャートである。端末１０は、「生前予約」のボタンｇ０８を選択する操作が行われると（Ｓ１４０１：Ｙｅｓ）、当該端末１０の所有者の生前予約会員ＹｒのＩＤを含むメッセージＭＳ１４０２（生前予約登録画面を求めるメッセージ）をサーバ装置７０に送信する（Ｓ１４０２）。サーバ装置７０は、メッセージＭＳ１４０３を受信すると、生前予約登録画面の画面データを含むメッセージＭＳ１４０３を端末１０に送信する（Ｓ１４０３）。
【００４８】
端末１０は、メッセージＭＳ１４０３を受信すると、生前予約登録画面を表示する（Ｓ１４０４）。図１８は、生前予約登録画面を示す図である。この画面の最上段には、「生前予約」の文字が記されている。その下には、入力欄ｈ０１がある。入力欄ｈ０１の下には、入力欄ｈ０２がある。入力欄ｈ０２の下には、入力欄ｈ０３がある。入力欄ｈ０３の下には、入力欄ｈ０４がある。入力欄ｈ０４の下には、入力欄ｈ０５がある。入力欄ｈ０５の下には、入力欄ｈ０６がある。入力欄ｈ０６の下には、入力欄ｈ０７がある。入力欄ｈ０７の下には、入力欄ｈ０８がある。画面の右下には、ボタンｈ３１がある。ボタンｈ３１内には「送信」の文字が記されている。
【００４９】
この画面において、生前予約会員Ｙｒは、各入力欄に自身の生前予約に関わる情報を入力し、「送信」のボタンｈ３１を選択する操作を行う。より具体的に説明すると、生前予約会員Ｙｒは、入力欄ｈ０１に自身のＩＤを入力する。また、入力欄ｈ０２に自身のパスワードを入力する。また、入力欄ｈ０３に自身の形見分けに関わる遺言事項を入力する。また、入力欄ｈ０４に自身の財産に関わる遺言事項を入力する。また、入力欄ｈ０５に自身の葬儀に関わる遺言事項を入力する。また、入力欄ｈ０６に自身の墓に関わる遺言事項を入力する。また、入力欄ｈ０７に、親族や知人宛てのメッセージ文を入力する。また、入力欄ｈ０８内に、入力欄ｈ０７内における知人宛てのメッセージ文の配信先の電子メールアドレスを入力する。
【００５０】
端末１０は、「送信」のボタンｈ３１を選択する操作が行われると（Ｓ１４０５：Ｙｅｓ）、入力欄ｈ０１、ｈ０２、ｈ０３、ｈ０４、ｈ０５、ｈ０６、ｈ０７、ｈ０８内の情報を含むメッセージＭＳ１４０６をサーバ装置７０に送信する（Ｓ１４０６）。
【００５１】
サーバ装置７０は、メッセージＭＳ１４０６を受信すると、生前予約情報データベースＤＢ４にレコードを追加する処理を行う（Ｓ１４０７）。この処理では、サーバ装置７０は、「ＩＤ」のフィールドを入力欄ｈ０１内の情報とし、「パスワード」のフィールドを入力欄ｈ０２内の情報とし、「形見分け」のフィールドを入力欄ｈ０３内の情報とし、「財産」のフィールドを入力欄ｈ０４内の情報とし、「葬儀」のフィールドを入力欄ｈ０５内の情報とし、「墓」のフィールドを入力欄ｈ０６内の情報とし、「メッセージ」のフィールドを入力欄ｈ０７内の情報とし、「送信先」のフィールドを入力欄ｈ０８内の情報とするレコードを生成し、このレコードを生前予約情報データベースＤＢ４に追加する。
【００５２】
図１９、図２０、図２１、図２２は、メイン画面における「加盟店検索（喪家様入口）」のボタンａ０６を選択する操作が行われた場合の処理を示すフローチャートである。端末１０は、「加盟店検索（喪家様入口）」のボタンａ０６を選択する操作が行われると（Ｓ１５０１：Ｙｅｓ）、当該端末１０の所有者である喪主会員ＹｍのＩＤを含むメッセージＭＳ１５０２（葬儀社選択画面を求めるメッセージ）をサーバ装置７０に送信する（Ｓ１５０２）。
【００５３】
サーバ装置７０は、メッセージＭＳ１５０２を受信すると、探索処理を行う（Ｓ１５０３）。この処理では、サーバ装置７０は、メッセージＭＳ１５０２内のＩＤを第１の検索キーとし、会員情報データベースＤＢ１の各レコードの中から第１の検索キーであるＩＤを「ＩＤ」のフィールドの値とするものを探索する。次に、サーバ装置７０は、会員情報データベースＤＢ１内から探索したレコードの「住所」のフィールドの情報を第２の検索キーとし、葬儀社情報データベースＤＢ３の各レコードの中から第２の検索キーである住所と同じ都道府県内の住所を「住所」のフィールドの値とするものを探索する。
【００５４】
サーバ装置７０は、探索処理において葬儀社情報データベースＤＢ３から探索したレコードの「ＩＤ」、「葬儀社名」、「郵便番号」、「住所」、「所持会場」、「電話番号」、「営業時間」、「代表者」、「担当者」、「電子メール」、「サイト」の各フィールドの情報を読み出し、これらの情報を葬儀社情報リストｉ１１として埋め込んだ葬儀社情報画面の画面データを生成し、生成した画面データを含むメッセージＭＳ１５０４を端末１０に送信する（Ｓ１５０４）。
【００５５】
端末１０は、メッセージＭＳ１５０４を受信すると、葬儀社情報画面を表示する（Ｓ１５０５）。図２３は、葬儀社情報画面を示す図である。この画面の最上段には、「葬儀社を地域別にご紹介しています」の文字が記されている。その下には、地域選択欄ｉ０１がある。地域選択欄ｉ０１内には、日本地図が記されている。地域選択欄ｉ０１の下には、葬儀社情報リストｉ１１がある。葬儀社情報リストｉ１１は、喪主会員Ｙｍの住所と同じ都道府県にある葬儀社の葬儀社情報を並べたものである。葬儀社情報リストｉ１１の右隅にはリスト内の葬儀社情報を上下にスクロールさせるスクロールバーｉ１２がある。
【００５６】
この画面において、喪主会員Ｙｍは、リストｉ１１内の各葬儀社情報のなかから自身の葬儀を任せるものを決定し、その葬儀社の葬儀社情報を選択する。ここで、喪主会員Ｙｍが地域選択欄ｉ０１内の所望の都道府県を選択する操作を行うと、地域選択欄ｉ０１から選択された都道府県を検索キーとする検索が行われ、その検索結果が検索結果リストａ１１として表示される。また、喪主会員Ｙｍは、各葬儀社に関わるより詳細な情報を知りたい場合は、リスト内における葬儀社情報の右隣の「ＨＰへ」の文字を含むボタンを選択し、葬儀社のウェブサイトを別ウィンドウとして表示せることが可能である。
【００５７】
端末１０は、葬儀社情報リストｉ１１内の葬儀社情報を選択する操作が行われると（Ｓ１５０６：Ｙｅｓ）、選択された葬儀社の葬儀社会員ＹｓのＩＤ（担当者の会員ＹのＩＤ）と、当該端末１０の所有者の喪主会員ＹｍのＩＤとを含むメッセージＭＳ１５０７（申込画面を求めるメッセージ）をサーバ装置７０に送信する（Ｓ１５０７）。サーバ装置７０は、メッセージＭＳ１５０７を受信すると、申込画面の画面データを含むメッセージＭＳ１５０８を端末１０に送信する（Ｓ１５０８）。
【００５８】
端末１０は、メッセージＭＳ１５０９を受信すると、申込画面を表示する（Ｓ１５０９）。図２４は、申込画面を示す図である。この画面には、表示欄ｊ０１がある。表示欄ｊ０１内には、喪家専用ページの利用にあたっての利用規約が記されている。その下には、２つのボタンｊ１１及びｊ１２が左右に並べて表示されている。ボタンｊ１１内には、「同意しない」の文字が記されている。ボタンｊ１２内には、「同意する」の文字が記されている。喪主会員Ｙｍは、表示欄ｊ０１内の利用規約を参照した上でボタンｊ１２を選択する操作を行う。
【００５９】
端末１０は、「同意する」のボタンｊ１２を選択する操作が行われると（Ｓ１５１０：Ｙｅｓ）、喪主会員ＹｍのＩＤを含むメッセージＭＳ１５１１（決済方法選択画面を求めるメッセージ）をサーバ装置７０に送信する（Ｓ１５１１）。サーバ装置７０は、メッセージＭＳ１５１１を受信すると、決済方法選択画面の画面データを含むメッセージＭＳ１５１２を端末１０に送信する（Ｓ１５１２）。
【００６０】
端末１０は、メッセージＭＳ１５１２を受信すると、決済方法選択画面を表示する（Ｓ１５１３）。図２５は、決済方法選択画面を示す図である。この画面の中央には、決済方法選択欄ｋ０１がある。決済方法選択欄ｋ０１内には、２つのボタンｋ０２及びｋ０３が配置されている。ボタンｋ０２内には、「振込」の文字が記されてている。ボタンｋ０３内には「クレジットカード払い」の文字が記されている。支払方法選択欄ｋ０１の下には、ボタンｋ１１がある。ボタンｋ１１内には、「各種金融機関決済ページ」の文字が記されている。
【００６１】
この画面において、喪主会員Ｙｍは、決済方法を選択して当サイト紹介料の決済手続を行う。より具体的に説明すると、会員Ｙは、決済方法選択欄ｋ０１内の２つのボタンｋ０２及びｋ０３のうち自らが望む決済方法のものを選択し、「各種決済機関ページ」のボタンｋ１１を選択する操作を行う。ボタンｋ１１が選択されると、該当の決済機関の決済画面（不図示）が表示される。会員Ｙは、この決済画面において、自身の金融機関の口座番号やクレジットカード番号を入力して当サイト紹介料を決済する。
【００６２】
端末１０は、決済手続きが完了すると（Ｓ１５１４：Ｙｅｓ）、喪主会員ＹｍのＩＤを含むメッセージＭＳ１５１５をサーバ装置７０に送信する（Ｓ１５１５）。サーバ装置７０は、メッセージＭＳ１５１５を受信すると、検索処理を行う（Ｓ１５１６）。この処理では、サーバ装置７０は、メッセージＭＳ１５１５内の喪主会員ＹｍのＩＤを検索キーとし、会員情報データベースＤＢ１の各レコードの中から検索キーであるＩＤを「ＩＤ」のフィールドの値とするものを探索する。
【００６３】
サーバ装置７０は、探索処理において会員情報データベースＤＢ１内から探索したレコードの「電子メール」のフィールドの電子メールアドレスを読み出し、この電子メールアドレスに宛てて喪家専用サイトのＵＲＬと喪家会員向けの利用案内とを含む電子メールを送信する（Ｓ１５１７）。
【００６４】
端末１０は、電子メールを受信すると、受信した電子メールを自端末１０のメモリに記憶する（Ｓ１５１８）。電子メールの受信後、喪主会員Ｙｍは、メーラを起動して電子メールを表示し、電子メール内のＵＲＬを選択する操作を行う。端末１０は、電子メール内のＵＲＬを選択する操作が行われると（Ｓ１５１９：Ｙｅｓ）、選択されたＵＲＬを閲覧先とするメッセージＭＳ１５２０をサーバ装置７０に送信する（Ｓ１５２０）。サーバ装置７０は、メッセージＭＳ１５２０を受信すると、喪家専用画面の画面データを含むメッセージを端末１０に送信する（Ｓ１５２１）。
【００６５】
端末１０は、メッセージＭＳ１５２１を受信すると、喪家専用画面を表示する（Ｓ１５２２）。図２６は、喪家専用画面を示す図である。この画面の最上段には、「喪家専用ページ」の文字が記されている。その下には、７つのボタンｍ０１、ｍ０２、ｍ０３、ｍ０４、ｍ０５、ｍ０６、ｍ０７がある。ボタンｍ０１内には「会葬お知らせページの作成」の文字が記されている。ボタンｍ０２内には「お香典受取口座の設定」の文字が記されている。ボタンｍ０３内には「返礼設定」の文字が記されている。ボタンｍ０４内には「ネット会葬サイト作成」の文字が記されている。ボタンｍ０５内には「エンディングボックス」の文字が記されている。ボタンｍ０６内には、「送信先」の文字が記されている。ボタンｍ０７内には「おくやみアラート検索ワード設定」の文字が記されている。
【００６６】
この画面において、喪主会員Ｙｍは、会葬お知らせページの作成（葬儀情報の登録）を行いたい場合は、ボタンｍ０１選択する。また、香典の受取口座の設定を行いたい場合は、ボタンｍ０２を選択する。また、ポイント返礼に関わる設定を行いたい場合は、ボタンｍ０３を選択する。また、ネット会葬サイトの作成を行いたい場合は、ボタンｍ０４を選択する。また、故人のエンディングボックスを参照したい場合は、ボタンｍ０５を選択する。故人のゆかりの者に葬儀の案内を記した電子メールを配信したい場合は、ボタンｍ０６を選択する。また、おくやみアラートの検索ワードの設定を行いたい場合は、ボタンｍ０７を選択する。
【００６７】
端末１０は、喪家専用画面の「会葬お知らせページの作成」のボタンｍ０１を選択する操作が行われると（図２０のＳ１５２３：Ｙｅｓ）、当該端末１０の所有者の喪主会員ＹｍのＩＤを含むメッセージＭＳ１５２４（会葬お知らせページ画面を求めるメッセージ）をサーバ装置７０に送信する（Ｓ１５２４）。サーバ装置７０は、メッセージＭＳ１５２４を受信すると、会葬お知らせページ作成画面の画面データを含むメッセージＭＳ１５２５を端末１０に送信する（Ｓ１５２５）。
【００６８】
端末１０は、メッセージＭＳ１５２５を受信すると、会葬お知らせページ作成画面を表示する（Ｓ１５２６）。図２７は、会葬お知らせページ作成画面を示す図である。この画面の最上段には、「葬儀情報を登録してください。」の文字が記されている。その下には、入力欄ｎ０１がある。入力欄ｎ０１の下には、入力欄ｎ０２がある。入力欄ｎ０２の下には、入力欄ｎ０３がある。入力欄ｎ０３の下には、入力欄ｎ０４がある。入力欄ｎ０４の下には、入力欄ｎ０５がある。入力欄ｎ０５の下には、入力欄ｎ０６がある。入力欄ｎ０６の下には、入力欄ｎ０７がある。入力欄ｎ０７の下には、入力欄ｎ０８がある。入力欄ｎ０８の下には、入力欄ｎ０９がある。画面の右側には、画像入力欄ｎ１０がある。画面の右下には、ボタンｎ３１がある。ボタンｎ３１内には「送信」の文字が記されている。
【００６９】
この画面において、喪主会員Ｙｍは、入力欄に自身が喪主を務める葬儀の情報を入力した上でボタンｎ３１を選択する操作を行う。より具体的に説明すると、喪主会員Ｙｍは、入力欄ｎ０１に故人の氏名を入力する。また、入力欄ｎ０２に故人の住所を入力する。また、入力欄ｎ０３に故人の享年を入力する。また、入力欄ｎ０４に故人が生前に所属した団体（会社や同好会）の名称を入力する。また、入力欄ｎ０５に自らの氏名（喪主名）を入力する。また、入力欄ｎ０６に葬儀の会場を入力する。また、入力欄ｎ０７に葬儀の開催日を入力する。また、入力欄ｎ０８に葬儀の開催時間（開始時刻と終了時刻）を入力する。また、入力欄ｎ０９に喪主挨拶を入力する。また、入力欄ｎ１０に、当該端末１０のメモリ内から選んだ故人の遺影の画像の画像データを入力する。
【００７０】
端末１０は、「送信」のボタンｎ３１を選択する操作が行われると（Ｓ１５２７：Ｙｅｓ）、喪主会員ＹｍのＩＤ及び入力欄ｎ０１、ｎ０２、ｎ０３、ｎ０４、ｎ０５、ｎ０６、ｎ０７、ｎ０８、ｎ０９、ｎ１０内の情報を含むメッセージＭＳ１５２８をサーバ装置７０に送信する（Ｓ１５２８）。
【００７１】
サーバ装置７０は、メッセージＭＳ１５２８を受信すると、葬儀情報データベースＤＢ２に新たなレコードを追加する処理を行う（Ｓ１５２９）。この処理では、サーバ装置７０は、「ＩＤ」のフィールドを喪主会員ＹｍのＩＤとし、「故人名」のフィールドを入力欄ｎ０１内の情報とし、「住所」のフィールドを入力欄ｎ０２内の情報とし、「享年」のフィールドを入力欄ｎ０３内の情報とし、「所属団体」のフィールドを入力欄ｎ０４内の情報とし、「喪主名」のフィールドを入力欄ｎ０５内の情報とし、「会場」のフィールドを入力欄ｎ０６内の情報とし、「開催日」のフィールドを入力欄ｎ０７内の情報とし、「開催時間」のフィールドを入力欄ｎ０８内の情報とし、「喪主挨拶」のフィールドを入力欄ｎ０９内の情報とし、「画像１」のフィールドを入力欄ｎ１０内の情報とし、「画像２」のフィールドを空値とし、「検索ワード」のフィールドを空値とし、「香典寄贈者」のフィールドを空値とし、「供物寄贈者」のフィールドを空値とし、「ネット弔問者」のフィールドを空値とし、「受取口座」のフィールドを空値とするレコードを生成し、このレコードを葬儀情報データベースＤＢ２に追加する。
【００７２】
端末１０は、喪家専用画面の「お香典受取口座の設定」のボタンｍ０２を選択する操作が行われると（Ｓ１５３０：Ｙｅｓ）、当該端末１０の所有者の喪主会員ＹｍのＩＤを含むメッセージＭＳ１５３１（口座設定画面を求めるメッセージ）をサーバ装置７０に送信する（Ｓ１５３１）。サーバ装置７０は、メッセージＭＳ１５３１を受信すると、口座設定画面の画面データを含むメッセージＭＳ１５３２をサーバ装置７０に送信する（Ｓ１５３２）。
【００７３】
端末１０は、メッセージＭＳ１５３２を受信すると、口座設定画面を表示する（Ｓ１５３３）。図２８は、口座設定画面を示す図である。この画面の最上段中央には、「お香典受取口座設定」の文字が記されている。その下には、入力欄ｎ４１がある。入力欄ｎ４１の下には、入力欄ｎ４２がある。入力欄ｎ４２の下には、２つのラジオボタンｎ４３及びｎ４４がある。ラジオボタンｎ４３の右には「普通」の文字が記されている。ラジオボタンｎ４４の右には「当座」の文字が記されている。ラジオボタンｎ４３及びｎ４４の下には、入力欄ｎ４５がある。入力欄ｎ４５の下には、入力欄ｎ４６がある。画面の右下には、ボタンｎ５１がある。ボタンｎ５１内には、「送信」の文字が記されている。
【００７４】
この画面において、喪主会員Ｙｍは、お香典の受取先とする口座の情報を入力した上でボタンｎ５１を選択する操作を行う。より具体的に説明すると、喪主会員Ｙｍは、入力欄ｎ４１に自身の口座の金融機関名を入力する。また、入力欄ｎ４２に自身の口座の支店名を入力する。また、ボタンｎ４３及びｎ４４のうち自身の口座の種類と対応するものを選択する。また、入力欄ｎ４５に自身の口座の口座名義を入力する。また、入力欄ｎ４６に自身の口座の口座番号を入力する。
【００７５】
端末１０は、「送信」のボタンｎ５１を選択する操作が行われると（Ｓ１５３４；Ｙｅｓ）、当該端末１０の所有者の喪主会員ＹｍのＩＤ、入力欄ｎ４１、ｎ４２、ｎ４５、ｎ４６内の情報、及びラジオボタンｎ４３及びｎ４４のうち選択されたものを示す情報を含むメッセージＭＳ１５３５をサーバ装置７０に送信する（Ｓ１５３５）。
【００７６】
サーバ装置７０は、メッセージＭＳ１５３５を受信すると、探索処理を行う（Ｓ１５３６）。この処理では、サーバ装置７０は、メッセージＭＳ１５３５内のＩＤを検索キーとし、葬儀情報データベースＤＢ３の各レコードの中から検索キーであるＩＤを「ＩＤ」のフィールドの値とするものを探索する。サーバ装置７０は、探索処理において探索したレコードにおける「口座情報」のフィールドにメッセージＭＳ１５３５内の情報を記憶する（Ｓ１５３７）
【００７７】
端末１０は、喪家専用画面の「返礼設定」のボタンｎ５１を選択する操作が行われると（Ｓ１５３８：Ｙｅｓ）、当該端末１０の所有者の喪主会員ＹｍのＩＤを含むメッセージＭＳ１５３９（ポイント返礼設定画面を求めるメッセージ）をサーバ装置７０に送信する（Ｓ１５３９）。サーバ装置７０は、メッセージＭＳ１５３９を受信すると、ポイント返礼設定画面の画面データを端末１０に送信する（Ｓ１５４０）。
【００７８】
端末１０は、メッセージＭＳ１５４０を受信すると、ポイント返礼設定画面を表示する（Ｓ１５４１）。図２９は、ポイント返礼設定画面を示す図である。この画面の最上段には、「返礼設定」の文字が記されている。その下には、２つのラジオボタンｏ０１及びｏ０２が上下に並べて配置されている。ラジオボタンｏ０１の右には「利用する」の文字が記されている。ラジオボタンｏ０２の右には「利用しない」の文字が記されている。「利用する」の文字の右には、２つのチェックボックスｏ０３及びｏ０４が上下に並べて配置されている。チェックボックスｏ０３の右には、「一律に％を設定する」の文字が記されている。その右には、パーセント入力欄ｏ０５がある。チェックボックスｏ０４の右には、「個別に％を設定する」の文字が記されている。画面の右下には、ボタンｏ３１がある。ボタンｏ３１内には「送信」の文字が記されている。
【００７９】
この画面において、喪主会員Ｙｍは、香典返しに関わる設定を行い、「送信」のボタンｏ３１を選択する操作を行う。より具体的に説明すると、喪主会員Ｙｍは、香典の贈り主に香典返しをポイントで送りたい場合は、ラジオボタンｏ０１を選択し、チェックボックｏ０３及びｏ０４のうち所望のものにチェックを入れる。また、入力欄ｏ０５に香典の何％の相当額をポイントとして返すかを入力する。喪主会員Ｙｍは、香典の贈り主に香典返しをギフト品で返したい場合は、ラジオボタンｏ０２を選択する。
【００８０】
端末１０は、「送信」のボタンｏ３１を選択する操作が行われると（Ｓ１５４２：Ｙｅｓ）、当該端末１０の所有者の喪主会員ＹｍのＩＤ、ボタンｏ０１及びｏ０２のうち選択されたものを示す情報、チェックボックスｏ０３及びｏ０４のうちチェックが入れられたものを示す情報、並びに入力欄ｏ０５内の情報を含むメッセージＭＳ１５４３をサーバ装置７０に送信する（Ｓ１５４３）。
【００８１】
サーバ装置７０は、メッセージＭＳ１５４３を受信すると、探索処理を行う（Ｓ１５４４）。この処理では、サーバ装置７０は、メッセージＭＳ１５４３内のＩＤを検索キーとし、葬儀情報データベースＤＢ３の各レコードの中から検索キーであるＩＤを「ＩＤ」のフィールドの値とするものを探索する。サーバ装置７０は、探索処理において、葬儀情報データベースＤＢ３内から探索したレコードにおける「返礼設定」のフィールドにメッセージＭＳ１５４３内の情報を記憶する（Ｓ１５４５）。
【００８２】
端末１０は、喪家専用画面の「ネット会葬サイト作成」のボタンｍ０４を選択する操作が行われると（図２１のＳ１５４６：Ｙｅｓ）、当該端末１０の所有者の喪主会員ＹｍのＩＤを含むメッセージＭＳ１５４７（ネット会葬サイト作成画面を求めるメッセージ）をサーバ装置７０に送信する（Ｓ１５４７）。サーバ装置７０は、メッセージＭＳ１５４７を受信すると、ネット会葬サイト作成画面の画面データを含むメッセージＭＳ１５４８を端末１０に送信する（Ｓ１５４８）。
【００８３】
端末１０は、メッセージＭＳ１５４８を受信すると、ネット会葬サイト作成画面を表示する（Ｓ１５４９）。図３０は、ネット会葬サイト作成画面を示す図である。この画面の最上段中央には、「ネット会葬サイトでスライド上映する写真を選択してください。」の文字が記されている。その下には、画像入力欄ｐ０１がある。画面の右下には、ボタンｐ３１がある。ボタンｐ３１内には「送信」の文字が記されている。
【００８４】
この画面において、喪主会員Ｙｍは、故人のスライド動画として公開する複数枚の画像の画像データを自らの端末１０のメモリ内から選んで画像入力欄ｐ０１内に入力し、「送信」のボタンｐ３１を選択する操作を行う。端末１０は、「送信」のボタンｐ３１を選択する操作が行われると（Ｓ１５５０：Ｙｅｓ）、当該端末１０の所有者の喪主会員ＹｍのＩＤ及び画像入力欄ｐ０１内の画像データを含むメッセージＭＳ１５５１をサーバ装置７０に送信する（Ｓ１５５１）。
【００８５】
サーバ装置７０は、メッセージＭＳ１５５１を受信すると、探索処理を行う（Ｓ１５５２）。この処理では、サーバ装置７０は、メッセージＭＳ１５５１内のＩＤを検索キーとし、葬儀情報データベースＤＢ２の各レコードの中から検索キーであるＩＤを「ＩＤ」のフィールドの値とするものを探索する。サーバ装置７０は、探索処理において葬儀情報データベースＤＢ２内から探索したレコードの「画像２」のフィールドにメッセージＭＳ１５５１内の画像データを記憶する（Ｓ１５５３）。
【００８６】
端末１０は、最首専用画面の「エンディングボックス」のボタンｍ０５を選択する操作が行われると（Ｓ１５５４：Ｙｅｓ）、当該端末１０の所有者の喪主会員ＹｍのＩＤを含むメッセージＭＳ１５５５をサーバ装置７０に送信する（Ｓ１５５５）。
【００８７】
サーバ装置７０は、メッセージＭＳ１５５５を受信すると、検索処理を行う（Ｓ１５５６）。この処理では、サーバ装置７０は、メッセージＭＳ１５５５内のＩＤを第１の検索キーとし、会葬情報データベースＤＢ２の各レコードの中から第１の検索キーであるＩＤを「ＩＤ」のフィールドの値とするものを探索する。次に、サーバ装置７０は、会葬情報データベースＤＢ２内から探索したレコードの「故人名」のフィールドに記憶されている故人の氏名を第２の検索キーとし、会員情報データベースＤＢ１の各レコードの中から第２の検索キーである故人名の性及び名を「性」及び「名」の各フィールドの値とするものを探索する。次に、サーバ装置７０は、会員情報データベースＤＢ１内から探索したレコードの「生前予約」のフィールドが「生前予約あり」になっているか否かを判定する。サーバ装置７０は、会員情報データベースＤＢ１内から探索したレコードの「生前予約」のフィールドが「生前予約あり」になっている場合は、そのレコードの「ＩＤ」のフィールドに記憶されたＩＤ（すなわち、故人のＩＤ）を第３の探索キーとし、生前予約情報データベースＤＢ４の各フィールドの中から第３の検索キーであるＩＤを「ＩＤ」のフィールドの値とするものを探索する。
【００８８】
サーバ装置７０は、検索処理において生前予約情報データベースＤＢ４から探索したレコードの各フィールドの情報を読み出し、この情報を埋め込んだエンディングボックス画面の画面データを生成し、生成した画面データを含むメッセージＭＳ１５５７を端末１０に送信する（Ｓ１５５７）。
【００８９】
端末１０は、メッセージＭＳ１５５７を受信すると、エンディングボックス画面を表示する（Ｓ１５５８）。図３１は、エンディングボック画面を示す図である。この画面の最上段には、「エンディングボックス」の文字が記されている。その下には、故人が生前予約登録画面（図１８）において登録した情報（形見分けに関わる遺言事項、財産に関わる遺言事項、葬儀に関わる遺言事項、墓に関わる遺言事項、親族宛てメッセージ、知人宛てメッセージ、知人宛てメッセージの送信先の電子メールアドレス）が表示される。
【００９０】
端末１０は、喪家専用画面の「送信先」のボタンｍ０６を選択する操作が行われると（Ｓ１５５９：Ｙｅｓ）、メーラを起動してメール編集画面を表示する（Ｓ１５６０）。図３２は、メール編集画面を示す図である。この画面のメール本文欄ｑ１１には、葬儀案内の定型文が記されている。喪主会員Ｙｍは、この画面の送信先入力欄ｑ０１に知人の電子メールアドレスを入力し、差出人入力欄ｑ０２に自身の電子メールアドレスを入力し、件名入力欄ｑ０３に葬儀のお知らせであることを示す文字列を入力し、「送信」のボタンｑ３１を選択する。ここで、喪主会員Ｙｍは、上述したエンディングボックス画面に知人宛てのメッセージ及びその送信先の電子メールアドレスがあった場合は、メール本文欄ｑ１１内にエンディングボックス画面内の知人宛てのメッセージのコピーをペーストし、送信先入力欄ｑ０１にエンディングボックス画面内の送信先電子メールアドレスのコピーをペーストする。端末１０は、「送信」のボタンｑ３１を選択する操作が行われると（Ｓ１５６１：Ｙｅｓ）、送信先入力欄ｑ０１内の電子メールアドレスに宛てて電子メールを送信する（Ｓ１５６２）。
【００９１】
端末１０は、喪家専用画面の「おくやみアラート検索ワード設定」のボタンｍ０７を選択する操作が行われると（Ｓ１５６３：Ｙｅｓ）、当該端末１０の所有者の喪主会員ＹｍのＩＤを含むメッセージＭＳ１５６４（検索ワード設定画面を求めるメッセージ）をサーバ装置７０に送信する（Ｓ１５６４）。サーバ装置７０は、メッセージＭＳ１５６４を受信すると、検索ワード設定画面の画面データを含むメッセージＭＳ１５６５を端末１０に送信する（Ｓ１５６５）。
【００９２】
端末１０は、メッセージＭＳ１５６５を受信すると、検索ワード設定画面を表示する（Ｓ１５６６）。図３３は、検索ワード設定画面を示す図である。この画面の最上段には、「おくやみアラート検索設定」の文字が記されている。その下には、複数の検索ワード入力欄ｒ０１がある。画面の右下には、ボタンｒ３１がある。ボタンｒ３１内には「送信」の文字が記されている。
【００９３】
この画面において、喪主会員Ｙｍは、故人の知り合いが通知条件として設定していそうな情報（例えば、故人の氏名、故人が生前に勤務していた会社名、故人が通った学校の学校名など）を検索ワード入力欄ｒ０１に入力し、「送信」のボタンｒ３１を選択する操作を行う。
【００９４】
端末１０は、「送信」のボタンｒ３１を入力する操作が行われると（Ｓ１５６７：Ｙｅｓ）、当該端末１０の所有者の喪主会員ＹｍのＩＤ及び検索ワード入力欄ｒ０１内の情報を含むメッセージＭＳ１５６８をサーバ装置７０に送信する（Ｓ１５６８）。
【００９５】
サーバ装置７０は、メッセージＭＳ１５６８を受信すると、探索処理を行う（Ｓ１５６９）。この処理では、サーバ装置７０は、メッセージＭＳ１５６８内のＩＤを検索キーとし、葬儀情報データベースＤＢ３の各レコードの中から検索キーであるＩＤを「ＩＤ」のフィールドの値とするものを探索する。サーバ装置７０は、探索処理において探索したレコードにおける「通知条件」のフィールドにメッセージＭＳ１５６８内の情報を記憶する（Ｓ１５７０）。
【００９６】
図３４及び図３５は、メイン画面における新着情報リストａ１１内の葬儀情報が選択された場合の処理を示すフローチャートである。端末１０は、新着情報リストａ１１（または、図８の検索結果リストａ１１’）内の葬儀情報を選択する操作が行われると（Ｓ１６０１：Ｙｅｓ）、選択された葬儀情報が示す葬儀の喪主のＩＤ、及び当該端末１０の所有者である会員ＹのＩＤを含むメッセージＭＳ１６０２をサーバ装置７０に送信する（Ｓ１６０２）。
【００９７】
サーバ装置７０は、メッセージＭＳ１６０２を受信すると、探索処理を行う（Ｓ１６０３）。この処理では、サーバ装置７０は、メッセージＭＳ１６０２内のＩＤを検索キーとし、葬儀情報データベースＤＢ２の各レコードの中から検索キーであるＩＤを「ＩＤ」のフィールドの値とするものを探索する。
【００９８】
サーバ装置７０は、探索処理において探索したレコードにおける「ＩＤ」、「故人名」、「住所」、「享年」、「喪主名」、「会場」、「開催日」、「開催時間」、「喪主挨拶」、「画像１」、「香典寄贈者」、「供物寄贈者」の各フィールドの情報を読み出し、これらの情報を埋め込んだ会葬お知らせページ画面の画面データを生成し、生成した画面データを含むメッセージＭＳ１６０４を端末１０に送信する（Ｓ１６０４）。
【００９９】
端末１０は、メッセージＭＳ１６０４を受信すると、会葬お知らせページ画面を表示する（Ｓ１６０５）。図３６は、会葬お知らせページ画面を示す図である。この画面の最上段の左側には、故人の遺影画像ｔ０１が表示される。その下には、故人の氏名（図３６の例では、「山田一」）、故人の享年（図３６の例では、「８０歳」）、喪主の氏名（図３６の例では、「山田一郎」）、喪主挨拶（図３６の例では、「遺族を代表し、一言ご挨拶を申し上げます。生前、故人に寄せられた皆様のご厚情に対し、心より御礼申し上げます。」）、葬儀の会場（図３６の例では、「東京斎場」）、葬儀開催日（図３６の例では、「１０月１５日」）、葬儀開催時間（図３６の例では、「１９時〜２０時」）、葬儀を取り仕切る葬儀社の社名（図３６の例では、「東京セレモニー」）、故人が生前に所属していた団体の名称（図３６の例では、「山田株式会社」）が表示される。その下には、３つのボタンｔ２１、ｔ２２、ｔ２３が左右に並べて配置されている。ボタンｔ２１内には、「知人にこのページをメールで知らせる」の文字が記されている。ボタンｔ２２内には、「お香典を贈る」の文字が記されている。ボタンｔ２３内には、「お供え物を贈る」の文字が記されている。また、画面の左側には、お供え物の寄贈の申込を済ませた会員Ｙの氏名が列記されている。
【０１００】
この画面において、会員Ｙは、自身が閲覧している会葬お知らせページ画面を知人に電子メールで知らせたい場合は、ボタンｔ２１を選択する操作を行う。また、香典を贈りたい場合は、ボタンｔ２２を選択する操作を行う。また、お供え物を贈りたい場合は、ボタンｔ２３を選択する操作を行う。
【０１０１】
端末１０は、ボタンｔ２１を選択する操作が行われると（Ｓ１６０６：Ｙｅｓ）、メーラを起動してメール編集画面を表示する（Ｓ１６０７）。図３７は、メール編集画面を示す図である。この画面のメール本文欄ｕ１１には、所定の葬儀案内文が記されている。会員Ｙは、この画面の送信先入力欄ｕ０１に知人の電子メールアドレスを入力し、差出人入力欄ｕ０２に自身の電子メールアドレスを入力し、件名入力欄ｕ０３に葬儀のお知らせであることを示す文字列を入力し、「送信」のボタンｕ３１を選択する。端末１０は、「送信」のボタンｕ３１を選択する操作が行われると（Ｓ１６０８：Ｙｅｓ）、送信先入力欄ｕ０１内の電子メールアドレスに宛てて電子メールを送信する（Ｓ１６０９）。
【０１０２】
端末１０は、会葬お知らせページ画面の「お香典を贈る」のボタンｔ２２を選択する操作が行われると（Ｓ１６１０：Ｙｅｓ）、当該端末１０の所有者の会員ＹのＩＤを含むメッセージＭＳ１６１１（香典申込画面を求めるメッセージ）をサーバ装置７０に送信する（Ｓ１６１１）。サーバ装置７０は、メッセージＭＳ１６１１を受信すると、香典申込画面の画面データを含むメッセージＭＳ１６１２を端末１０に送信する（Ｓ１６１２）。
【０１０３】
端末１０は、メッセージＭＳ１６１２を受信すると、香典申込画面を表示する（Ｓ１６１３）。図３８は、香典申込画面を示す図である。この画面の最上段には、「お香典の金額を入力して決定ボタンを選択してください。」の文字が記されている。その下には、香典金額入力欄ｖ０１がある。香典金額入力欄ｖ０１の下には、ボタンｖ０２がある。ボタンｖ０２内には「引き続きお供え物を贈る」の文字が記されている。画面の右下には、ボタンｖ１１がある。ボタンｖ１１内には「決定」の文字が記されている。
【０１０４】
この画面において、会員Ｙは、香典金額入力欄ｖ０１内にお香典の金額を入力する。会員Ｙは、お香典と併せてお供え物も贈る場合は、「引き続きお供え物を贈る」のボタンｖ０２を選択し、お供え物を贈らない場合は、「決定」のボタンｖ１１を選択する。
【０１０５】
端末１０は、「お供え物を贈る」のボタンｔ２３（図３６）または「引き続きお供え物を贈る」のボタンｖ０２（図３８）を選択する操作が行われると（図３５のＳ１６１４：Ｙｅｓ）、会員ＹのＩＤ、入力欄ｖ０１内の金額を含むメッセージＭＳ１６１５（お供え物申込画面を求めるメッセージ）をサーバ装置７０に送信する（Ｓ１６１５）。サーバ装置７０は、メッセージＭＳ１６１５を受信すると、お供え物申込画面の画面データを含むメッセージＭＳ１６１６を端末１０に送信する（Ｓ１６１６）。
【０１０６】
端末１０は、メッセージＭＳ１６１６を受信すると、お供え物申込画面を表示する（Ｓ１６１７）。図３９は、お供え物申込画面を示す図である。この画面の最上段には、「お供え物の金額を入力してください」の文字が記されている。その下には、お供え物金額入力欄ｖ２１がある。お供え物金額入力欄ｖ２１の右には、各金額（図３９の例では３０００円、５０００円、１００００円）のお供え物の画像ｖ２２が表示されている。この画像ｖ２２の下には、ボタンｖ３１がある、ボタンｖ３１内には「決定」の文字が記されている。この画面において、会員Ｙは、お供え物金額入力欄ｖ２１内にお供え物の金額を入力し、「決定」のボタンｖ３１を選択する。
【０１０７】
端末１０は、「決定」のボタンｖ１１、ｖ３１を選択する操作が行われると（Ｓ１６１８：Ｙｅｓ）、会員ＹのＩＤ、及び入力欄ｖ０１内の金額を含むメッセージＭＳ１６１９（申込確定画面を求めるメッセージ）をサーバ装置７０に送信する（Ｓ１６１９）。サーバ装置７０は、メッセージＭＳ１６１９を受信すると、申込確定画面の画面データを含むメッセージＭＳ１６２０を端末１０に送信する（Ｓ１６２０）。
【０１０８】
端末１０は、メッセージＭＳ１６２０を受信すると、申込確定画面を表示する（Ｓ１６２１）。図４０は、申込確定画面を示す図である。この画面の最上段には４つの表示欄ｖ４１、ｖ４２、ｖ４３、ｖ４４が左右に並べて配置されている。表示欄ｖ４１と表示欄ｖ４２の間には「＋」の文字が記されている。表示欄ｖ４２と表示欄ｖ４３の間には「＋」の文字が記されている。表示欄ｖ４３と表示欄ｖ４４の間には「＝」の文字が記されている。表示欄ｖ４１内には、香典金額入力欄ｖ０１内に入力された金額（図４０の例では、５０００円）が表示される。表示欄ｖ４２内には、お供え物金額入力欄ｖ２１内に入力された金額（図４０の例では、１００００円）が表示される。表示欄ｖ４３内には、金融機関における口座振込手数料（図４０の例では、４２０円）が表示される。表示欄ｖ４４内には、３つの表示欄ｖ４１、ｖ４２、ｖ４３内の金額の合計額が表示される。
【０１０９】
表示欄ｖ４１、ｖ４２の下には、矩形状の入力欄ｖ４５がある。表示欄ｖ４３、ｖ４４の下には、「香典返しのポイントでの受け取りを許可しますか」の文字が記されている。その下には、２つのボタンｖ４６及びｖ４７が左右に並べて配置されている。ボタンｖ４６内には「はい」の文字が記されている。ボタンｖ４７内には「いいえ」の文字が記されている。
【０１１０】
その下には、決済方法選択欄ｖ４８がある。決済方法選択欄ｖ４８内には、ボタンｖ４９及びｖ５０が配置されている。ボタンｖ４９内には、「振込」の文字が記されている。ボタンｖ５０内には「クレジットカード払い」の文字が記されている。画面の右下には、ボタンｖ５１がある。ボタンｖ５１内には、「各種金融機関決済ページ」の文字が記されている。
【０１１１】
この画面において、会員Ｙは、弔意文を入力するとともに決済方法を選択した上で決済手続を行う。より具体的に説明すると、会員Ｙは、自身と故人との続き柄や故人やその親族に宛てた弔意文をメッセージ入力欄ｖ４５に入力する。また、香典返しのポイントでの受取を望む場合は「はい」のボタンｖ４６を選択し、香典返しのギフト品での受取を望む場合は「いいえ」のボタンｖ４７を選択する。その上で、会員Ｙは、決済方法選択欄ｖ４８内の２つのボタンｖ４９及びｖ５０のうち自らが望む決済方法のものを選択し、ボタンｖ５１を選択する操作を行う。ボタンｖ５１が選択されると、該当の決済期間の決済画面（不図示）が表示される。会員Ｙは、この決済画面において、自身の金融機関の口座番号やクレジットカード番号を入力して表示欄ｖ４４内の金額を決済する。この決済が完了すると、喪主会員Ｙｍの口座（香典受取設定画面において設定した口座）にお香典の申込額が入金される。また、お供え物申込画面の入力欄ｖ２１に入力された金額のお供え物が葬儀社から喪主会員Ｙｍに配送される。
【０１１２】
端末１０は、決済手続きが完了すると（Ｓ１６２２：Ｙｅｓ）、当該端末１０の所有者の会員ＹのＩＤ、及び会葬お知らせページ画面として表示中の葬儀のＩＤ（喪主会員ＹｍのＩＤ）を含むメッセージＭＳ１６２３をサーバ装置７０に送信する（Ｓ１６２３）。サーバ装置７０は、メッセージＭＳ１６２３を受信すると、探索処理を行う（Ｓ１６２４）。この処理では、サーバ装置７０は、メッセージＭＳ１６２３内の会員ＹのＩＤを第１の検索キーとし、会員情報データベースＤＢ１の各レコードの中から検索キーであるＩＤを「ＩＤ」のフィールドの値とするものを探索する。また、サーバ装置７０は、メッセージＭＳ１６２３内の喪主会員ＹのＩＤを第１の検索キーとし、葬儀情報データベースＤＢ２の各レコードの中から検索キーであるＩＤを「ＩＤ」のフィールドの値とするものを探索する。
【０１１３】
サーバ装置７０は、葬儀情報データベースＤＢ２から探索したレコードの「香典寄贈者」と「供物寄贈者」のフィールドに寄贈者の氏名を追記するとともに、そのレコードの「確認コード」のフィールドに新たな確認コードを追記する処理を行う（Ｓ１６２５）。この処理では、サーバ装置７０は、探索処理において、会員情報データベースＤＢ１内から探索したレコードの「性」と「名」のフィールドの情報を繋げたものを寄贈者の会員ＩＤの氏名とする。そして、この会員Ｙが香典の申込だけを行っていた場合は、葬儀情報データベースＤＢ２から探索したレコードの「香典寄贈者」のフィールドに氏名を追記し、会員Ｙが香典の申込とお供え物の申込を行っていた場合は、葬儀情報データベースＤＢ２から探索したレコードの「香典寄贈者」のフィールドと「供物寄贈者」のフィールドに氏名を追記する。サーバ装置７０は、「香典寄贈者」及び「供物寄贈者」の一方又は両方に情報を追記した後、固有の確認コードを生成する。サーバ装置７０は、この確認コードを葬儀情報データベースＤＢ２から探索したレコードの「確認コード」のフィールドに追記する。
【０１１４】
また、サーバ装置７０は、お香典、お供え物の預り証の画像データを生成し、この画像データのＵＲＬとステップＳ１６２５で生成した確認コードを変換した２次元バーコードとを含む電子メールを会員Ｙの端末１０の電子メールアドレスに宛てて送信する（Ｓ１６２６）。端末１０は、電子メールを受信すると、受信した電子メールを自端末１０のメモリに記憶する（Ｓ１６２７）。会員Ｙは、この電子メール内のＵＲＬを選択する操作を行うことにより、お香典、お供え物の預かり証を取得することが可能である。また、会員Ｙは、この電子メール内の２次元バーコードを端末１０に表示させて会員専用受付の受付端末装置に読み込ませる、という簡単な操作だけで葬儀の受付手続を済ませることができる。
【０１１５】
また、サーバ装置７０は、支払完了画面の画像データを含むメッセージＭＳ１６２８を会員Ｙの端末１０に送信する（Ｓ１６２８）。
【０１１６】
端末１０は、メッセージＭＳ１６２８を受信すると、支払完了画面を表示する（Ｓ１６２９）。図４１は、支払完了画面を示す図である。この画面の最上段中央には、「お支払が完了いたしました」の文字が記されている。その下には、「登録されたメールアドレスにお香典、お供え物の預り証のＵＲＬ、及びネット記帳用の確認コードを配信しました。葬儀の当日は会員専用受付にて確認コードをご提示ください。お香典の手渡しや記帳をせずに受付を済ませることができます。」の文字が記されている。その下には、２つのボタンｖ６１及びｖ６２が左右に並べて配置されている。ボタンｖ６１内には、「ネット会葬」の文字が記されている。ボタンｖ６２内には、「会葬のお知らせに戻る」の文字が記されている。会員Ｙは、ネット会葬サイトを訪問して弔意を示したい場合は、ボタンｖ６１を選択する。会員Ｙは、会葬お知らせページ画面に戻りたい場合は、ボタンｖ６２を選択する。
【０１１７】
端末１０は、ボタンｖ６２を選択する操作が行われると（Ｓ１６３０：Ｙｅｓ）、図１９のステップＳ１５２２に戻る。端末１０は、ボタンｖ６１を選択する操作が行われると（Ｓ１６３１：Ｙｅｓ）、会員ＹのＩＤを含むメッセージＭＳ１６３２（ネット会葬サイト画面を求めるメッセージ）をサーバ装置７０に送信する（Ｓ１６３２）。  
【０１１８】
サーバ装置７０は、メッセージＭＳ１６３２を受信すると、探索処理を行う（Ｓ１６３３）。この処理では、サーバ装置７０は、メッセージＭＳ１６３２内の会員ＹのＩＤを第１の検索キーとし、会員情報データベースＤＢ１の各レコードの中から第１の検索キーであるＩＤを「ＩＤ」のフィールドの値とするものを探索する。また、サーバ装置７０は、メッセージＭＳ１６３２内の喪主会員ＹのＩＤを第２の検索キーとし、葬儀情報データベースＤＢ２の各レコードの中から第２の検索キーであるＩＤを「ＩＤ」のフィールドの値とするものを探索する。
【０１１９】
サーバ装置７０は、探索処理において探索したレコードの「ネット弔問者」のフィールドにネット弔問者Ｙｃの氏名を追記する（Ｓ１６３４）。この処理では、サーバ装置７０は、探索処理において会員情報データベースＤＢ１内から探索したレコードの「性」と「名」のフィールドの情報を繋げたものをネット弔問者Ｙｃの氏名とし、この氏名を葬儀情報データベースＤＢ２から探索したレコードの「ネット弔問者」のフィールドに追記する。
【０１２０】
また、サーバ装置７０は、探索処理において探索したレコードの「故人画像２」のフィールドに記憶されている故人画像データのセットを読み出し、この故人画像データのセットを動画像再生ウィンドウＷ０１として埋め込んだネット弔問画面の画面データを生成し、この画面データを含むメッセージＭＳ１６３５を端末１０に送信する（Ｓ１６３５）。
【０１２１】
端末１０は、メッセージＭＳ１６３５を受信すると、ネット弔問画面を表示する（Ｓ１６３６）。図４２は、ネット弔問画面を示す図である。この画面の中央には、動画像再生ウィンドウｗ０１がある。会員Ｙが、この動画像再生ウィンドウｗ０１の再生ボタンｗ０２を選択する操作を行うと、故人の動画像データをなす一連の画像が再生される。
【０１２２】
以上が、本実施形態の詳細である。本実施形態では、会員情報と葬儀情報の検索ワードが一致した場合に、おくやみアラートが送信される。よって、故人の知人に葬儀に関する情報を確実に知らせることができる。
【符号の説明】
【０１２３】
１…葬儀支援システム、１０…端末、７０…サーバ装置、７１…通信インターフェース、７２…ＣＰＵ、７３…ＲＡＭ、７４…ＲＯＭ、７５…ハードディスク、７６…ディスプレイ、７７…マウス、７８…キーボード。
【図１】
2015118592.tif 000003
【図２】
2015118592.tif 000004
【図３】
2015118592.tif 000005
【図４】
2015118592.tif 000006
【図５】
2015118592.tif 000007
【図６】
2015118592.tif 000008
【図７】
2015118592.tif 000009
【図８】
2015118592.tif 000010
【図９】
2015118592.tif 000011
【図１０】
2015118592.tif 000012
【図１１】
2015118592.tif 000013
【図１２】
2015118592.tif 000014
【図１３】
2015118592.tif 000015
【図１４】
2015118592.tif 000016
【図１５】
2015118592.tif 000017
【図１６】
2015118592.tif 000018
【図１７】
2015118592.tif 000019
【図１８】
2015118592.tif 000020
【図１９】
2015118592.tif 000021
【図２０】
2015118592.tif 000022
【図２１】
2015118592.tif 000023
【図２２】
2015118592.tif 000024
【図２３】
2015118592.tif 000025
【図２４】
2015118592.tif 000026
【図２５】
2015118592.tif 000027
【図２６】
2015118592.tif 000028
【図２７】
2015118592.tif 000029
【図２８】
2015118592.tif 000030
【図２９】
2015118592.tif 000031
【図３０】
2015118592.tif 000032
【図３１】
2015118592.tif 000033
【図３２】
2015118592.tif 000034
【図３３】
2015118592.tif 000035
【図３４】
2015118592.tif 000036
【図３５】
2015118592.tif 000037
【図３６】
2015118592.tif 000038
【図３７】
2015118592.tif 000039
【図３８】
2015118592.tif 000040
【図３９】
2015118592.tif 000041
【図４０】
2015118592.tif 000042
【図４１】
2015118592.tif 000043
【図４２】
2015118592.tif 000044